(57)【特許請求の範囲】
【請求項１】
建物開口部上方に配置したスラットガイド機構は、
スラットに接触するガイド周面を備えた上側ガイドローラと、
スラットに接触するガイド周面を備えた下側ガイドローラと、
スラットに接触するガイド面を備えたガイドプレートと、
を備え、
前記上側ガイドローラと前記下側ガイドローラは高さ方向に離間しており、
前記ガイドプレートは、前記ガイド面が、側面視において、前記上側ガイドローラの前記ガイド周面と前記下側ガイドローラの前記ガイド周面とを架け渡すように配置されている、
シャッター装置におけるスラットガイド機構。
【請求項２】
前記上側ガイドローラの前記ガイド周面と前記下側ガイドローラの前記ガイド周面は共通の接平面を有しており、
前記ガイドプレートは、前記ガイド面が、前記接平面内に位置するように配置されている、
請求項１に記載のシャッター装置におけるスラットガイド機構。
【請求項３】
前記上側ガイドローラ、前記下側ガイドローラと前記ガイドプレートは、建物開口部の開口幅方向に並設されており、
前記ガイドプレートの上端部位、下端部位は、それぞれ、前記上側ガイドローラの下側部位、前記下側ガイドローラの上側部位と高さ方向にオーバラップしている、
請求項１、２いずれかに記載のシャッター装置におけるスラットガイド機構。
【請求項４】
前記上側ガイドローラは、前記下側ガイドローラよりもシャッター芯から離間して配置されており、前記ガイドプレートの前記ガイド面は、下端から上端に向かってシャッター芯から離間していく傾斜面である、
請求項１〜３いずれか１項に記載のシャッター装置におけるスラットガイド機構。
【発明の詳細な説明】
【技術分野】
【０００１】
本発明は、建物開口部の上方に設けられるスラットガイド機構に関するものである。
【背景技術】
【０００２】
シャッター装置において、シャッターカーテンの開閉動作をスムーズに行うために、建物開口部の上方のまぐさにスラットガイド機構としてのいわゆるスムーサを取り付ける場合がある。このようなスムーサとしてはローラが良く知られているが、スラットのインターロック部がローラに当接して案内されるような場合に、ローラの径が小さいとスラットの上下のインターロック部間にローラが落ち込んで、ローラの外周面に対してスラットが嵌ってしまうおそれがある（特許文献１の第１図参照）。シャッター開閉時にスラットがローラの外周面に嵌ってしまうと、スムーズな開閉に支障を来すと共に、開閉音の発生の原因となり得る。
【０００３】
これを防止するため、大きい径のローラを使用したり、複数のローラを上下にずらして配置したりすることが行われているが、大径のローラや複数のローラを設けると、それだけシャッターケース内において空間を占めてしまうため、結果としてシャッターケースの納まり寸法が大きくなってしまうという課題がある。
【０００４】
特許文献１、２では、比較的小径の２つのローラ間にベルトを掛け回してスラットガイド機構を構成することで、上記課題に対処している。しかしながら、シャッター開閉時にスラットが繰り返しベルトに接触することからベルトの耐久性に懸念があり、また、スラットがベルトに接触した時に、比較的柔軟なベルトが内部のローラを回転させることで当該ベルトが回動するものであるため、スラットがローラに直接接触して案内される場合に比べて、スラットとベルトの接触部に抵抗が生じ易い。
【特許文献１】実開昭５２−１２１１４６号
【特許文献２】実開平２−６８０９９号
【発明の開示】
【発明が解決しようとする課題】
【０００５】
本発明は、ベルトを用いずに、上記課題に対処することができるスラットガイド機構を提供することを目的とするものである。
【課題を解決するための手段】
【０００６】
本発明が採用した技術手段は、
建物開口部上方に配置したスラットガイド機構は、
スラットに接触するガイド周面を備えた上側ガイドローラと、
スラットに接触するガイド周面を備えた下側ガイドローラと、
スラットに接触するガイド面を備えたガイドプレートと、
を備え、
前記上側ガイドローラと前記下側ガイドローラは高さ方向に離間しており、
前記ガイドプレートは、前記ガイド面が、側面視において、前記上側ガイドローラの前記ガイド周面と前記下側ガイドローラの前記ガイド周面とを架け渡すように配置されている、
シャッター装置におけるスラットガイド機構、である。
【０００７】
１つの態様では、前記上側ガイドローラの前記ガイド周面と前記下側ガイドローラの前記ガイド周面は共通の接平面を有しており、
前記ガイドプレートは、前記ガイド面が、前記接平面内に位置するように配置されている。
【０００８】
１つの態様では、前記上側ガイドローラ、前記下側ガイドローラと前記ガイドプレートは、建物開口部の開口幅方向に並設（開口幅方向にズレて配置）されており、
前記ガイドプレートの上端部位、下端部位は、それぞれ、前記上側ガイドローラの下側部位、前記下側ガイドローラの上側部位と高さ方向にオーバラップしている。
【０００９】
１つの態様では、前記上側ガイドローラは、前記下側ガイドローラよりもシャッター芯から離間して配置されており、前記ガイドプレートの前記ガイド面は、下端から上端に向かってシャッター芯から離間していく傾斜面である。
【発明の効果】
【００１０】
本発明では、より小径の上側ガイドローラ、下側ガイドローラを採用するものでありながら、上側ガイドローラのガイド周面と下側ガイドローラのガイド周面とを架け渡すように、ガイドプレートが配置されているので、シャッター開閉時に、スラットが上側ガイドローラと下側ガイドローラの間の空間に落ち込むようなことがなく、上側ガイドローラのガイド周面、下側ガイドローラのガイド周面、ガイドプレートのガイド面が協働して、スラットをスムーズに案内することができ、また、スラットがガイドローラ間に落ち込んだ場合等に生じるであろう開閉音を低減できる。より小径の上側ガイドローラ、下側ガイドローラを採用することで、大径のガイドローラを採用する場合に比べてシャッターケースの納まりを小さくできる。
【００１１】
上側ガイドローラのガイド周面と下側ガイドローラのガイド周面が共通の接平面を有しており、ガイドプレートは、ガイド面が、前記接平面内に位置するように配置されているものでは、スラットに接触する全てのガイド部（ガイド周面、ガイド面）が同じ接平面内に位置しているので、スラットは共通の接平面に沿って案内され、段差等が生じることがなく、上側ガイドローラのガイド周面、下側ガイドローラのガイド周面、ガイドプレートのガイド面が協働して、スラットをスムーズに案内することができ、また、段差がある場合等に生じるであろう開閉音を低減できる。
【図面の簡単な説明】
【００１２】
【図１】シャッター装置の正面図（開口部全閉状態）である。
【図２】シャッター装置の上方部位を拡大して示す部分縦断面図である。
【図３】シャッター装置の上方部位を拡大して示す部分縦断面図であって、本実施形態に係るスラットガイド機構の作用を説明する図である。
【図４】本実施形態に係るスラットガイド機構の正面図である。
【図５】本実施形態に係るスラットガイド機構の側面図である。
【図６】ガイドローラが取り付けられる第１取付台を示す図である。
【図７】ガイドプレートが取り付けられる第２取付台を示す図である。
【発明を実施するための形態】
【００１３】
本発明の実施形態を図面に基づいて説明する。図１は、シャッター装置の正面図（開口部全閉状態）、図２は、シャッター装置の上方部位の縦断面図（開口部全開状態）であって、シャッター装置は、建物開口部の幅方向左右両端に立設された左右のガイドレール１と、建物開口部の上方に設けられたシャッターケース２と、シャッターケース２内に設けられた巻取シャフト３と、巻取シャフト３に上端が連結されたシャッターカーテン４と、を備えている。シャッターカーテン４は、複数枚のスラット４０を互いにインターロック連結することで形成されている。巻取時には、スラット４０のインターロック連結部が巻取シャフト３の周面、及び、既に巻き取られたスラット４０の面部に当接するようになっている（図３参照）。
【００１４】
躯体Ｗには左右のブラケット５、６が持ち出し状に設けられており、一方のブラケット５が従動側ブラケット、他方のブラケット６が駆動側ブラケットとなっている。巻取シャフト３は、左右のブラケット５、６間に回転可能に支持されており、駆動側のブラケット６に取り付けられた開閉機７により回転駆動される。巻取シャフト３の正逆回転に伴って、シャッターカーテン４が巻取シャフト３から繰り出されて下降して建物開口部を閉鎖し、また、シャッターカーテン４が巻取シャフト３に巻き取られて上昇して建物開口部を開放する。
【００１５】
左右のブラケット５、６間には、第１補強材８、第２補強材９、内まぐさ１０が、左右のブラケット５、６を架け渡すように設けてある。第１補強材８、第２補強材９、内まぐさ１０は、開口幅方向に水平状に延びる長尺部材であり、左右のブラケット５、６と共にシャッターケース２の骨組を構成している。
【００１６】
本実施形態では、シャッターケース２は、ケース上板２０と、ケース下板２１と、からなり、上記骨組に対して取り付けられている。ケース上板２０、ケース下板２１は、開口幅寸法に対して短尺であり、複数のケース上板２０、ケース下板２１を、開口幅方向に亘って連設することでシャッターケース２を形成している。隣接するケース上板２０、２０の端部同士がケースリブ材１１によって支持され、隣接するケース下板２１、２１の端部同士がケースリブ材１２によって支持されている。シャッターケース２の構成は、図示のものに限定されない。
【００１７】
図２、図３に示すように、内まぐさ１０の躯体Ｗ側に位置する立ち上がり辺１００は、躯体Ｗに対して離間対向しており、立ち上がり辺１００と躯体Ｗとの間には、建物開口部の幅方向に延びる開口が形成されており、当該開口によってシャッターケース２の内部空間と建物開口部が連通している。当該開口の長さ方向両端部には、左右のガイドレール１の上端部位が位置している。ガイドレール１の上端部位は、ケース下板２１の下面の高さ位置を越えて上方に延びており、さらに、内まぐさ１０の立ち上がり辺１００の上端の高さ位置を越えた部位に拡開状の上部ガイド１Ａが形成されている。
【００１８】
図示の態様では、内まぐさ１０は、断面視正方形状の角パイプと、角パイプに固定した板状部材から形成されており、板状部材は、水平辺と、水平辺の先端の立ち上がり辺１００と、立ち上がり辺１００の上端の水平辺１０１と、から形成されている。立ち上がり辺１００の上端と角パイプとの間に傾斜状の板片（図２参照）が接続されているが、この板片は、内まぐさ１０の全長に対して短尺であり、角パイプ及び立ち上がり辺１００、水平辺１０１の長さ方向に間隔を存して複数設けてあることから、後述するスラットガイド機構Ｇの内まぐさ１０に対する固定を妨げるものではない。なお、内まぐさ１０の形状や構成は、図示の形状や構成に限定されるものではない。
【００１９】
シャッターカーテン４は、その幅方向両端部が左右のガイドレール１のガイド溝に案内されながら昇降するようになっている。建物開口部上方において、シャッターカーテン４の昇降経路に位置して、スムーサ組立体、すなわち、スラットガイド機構Ｇが設けてある。図２に示すように、スラットガイド機構Ｇは、ガイドレール１の上端部位（シャッター芯Ｃ）を挟んで躯体Ｗとは反対側に位置して内まぐさ１０に対して固定されている。
【００２０】
図２、図３に示すように、スラットガイド機構Ｇが設けられる高さ位置は、上部ガイド１Ａの高さ位置と略同じである。シャッターカーテン４の各スラット４０は長さ方向両端がガイドレール１の溝内に位置する間は、両端がガイドレール１に案内されながら昇降するが、上部ガイド１Ａから巻取シャフト３の巻き出し・巻き取り位置までは長さ方向両端部は自由な状態であるため、上部ガイド１Ａの高さ位置において、スラット４０の長さ方向の中途部位をスラットガイド機構Ｇで案内するようにしている。スラットガイド機構Ｇは、開口部上方において、開口幅寸法（スラット４０の長さ寸法）に応じて１個〜複数個設けられる。スラットガイド機構Ｇを１個だけ設ける場合は、開口幅の中央付近に位置するように設けられ、スラットガイド機構Ｇを複数個設ける場合は、開口幅方向に適宜間隔を存して設けられる。
【００２１】
図４、図５に示すように、スラットガイド機構Ｇは、高さ方向に離間した上側の第１ガイドローラ１３と、下側の第２ガイドローラ１４と、第１ガイドローラ１３、第２ガイドローラ１４に対して開口幅方向に隣接して並設した左右の第１ガイドプレート１５、第２ガイドプレート１６と、第１ガイドローラ１３、第２ガイドローラ１４が支持された第１取付台１７と、第１ガイドプレート１５、第２ガイドプレート１６が支持された第２取付台１８と、を備えている。第２取付台１８は、第１取付台１７に支持されている。
【００２２】
第１ガイドローラ１３の外周面はスラット４０に接触するガイド周面１３０を形成しており、同様に、第２ガイドローラ１４の外周面はスラット４０に接触するガイド周面１４０を形成している。第１ガイドローラ１３、第２ガイドローラ１４は、上下に離間して、開口幅方向に延びるように水平姿勢で配置されており、第１ガイドローラ１３のガイド周面１３０と第２ガイドローラ１４のガイド周面１４０は、共通の接平面Ｐを有している。接平面Ｐは、側面視において、第１ガイドローラ１３のガイド周面１３０と第２ガイドローラ１４のガイド周面１４０を接線方向に結ぶ面である（図５参照）。
【００２３】
図示の態様では、第１ガイドローラ１３と第２ガイドローラ１４はシャッター芯Ｃ（図２参照）からの距離が僅かに異なっている。具体的には、下側の第２ガイドローラ１４はシャッター芯Ｃに近い側、上側の第１ガイドローラ１３は、シャッター芯Ｃから遠い側に位置している。すなわち、第１ガイドローラ１３のガイド周面１３０は、第２ガイドローラ１４のガイド周面１４０よりもシャッター芯Ｃから離間しており、第１ガイドローラ１３のガイド周面１３０と第２ガイドローラ１４のガイド周面１４０を接線方向（側面視）に結ぶ接平面Ｐは、下端から上端に向かってシャッター芯Ｃから離間していく傾斜面となっている。
【００２４】
第１ガイドローラ１３の径、第２ガイドローラ１４の径は、スラット４０の高さ方向に対して十分に小さい寸法となっている。第１ガイドローラ１３、第２ガイドローラ１４はクッション性に優れる材質から形成されており、例えば、ウレタン製のローラから形成される。図示の態様では、第１ガイドローラ１３と第２ガイドローラ１４は、同寸・同形（同径・同長）であるが、互いに異なる径や長さを備えていてもよい。
【００２５】
ガイドプレート１５、１６は、縦長方形状の板体であり、それぞれ、スラット４０に接触するガイド面１５０、１６０を備えている。ガイド面１５０、１６０は平面であり、また、同一平面内に位置している。図５に示すように、第１ガイドプレート１５、第２ガイドプレート１６は、側面視において、ガイド面１５０、１６０が、第１ガイドローラ１３のガイド周面１３０と第２ガイドローラ１４のガイド周面１４０とを架け渡すように配置されている。本実施形態では、第１ガイドプレート１５、第２ガイドプレート１６は、ガイド面１５０、１６０が、第１ガイドローラ１３のガイド周面１３０と第２ガイドローラ１４のガイド周面１４０とを通る接平面Ｐ内に位置するように配置されている。
【００２６】
本実施形態では、図４に示すように、第１ガイドプレート１５は、第１ガイドローラ１３、第２ガイドローラ１４の正面視左側に隣接して配置されており、第２ガイドプレート１６は、第１ガイドローラ１３、第２ガイドローラ１４の正面視右側に隣接して配置されている。第１ガイドプレート１５の上端部位、下端部位は、それぞれ、上側の第１ガイドローラ１３の下側部位、下側の第２ガイドローラ１４の上側部位と高さ方向にオーバラップしている。同様に、第２ガイドプレート１６の上端部位、下端部位は、それぞれ、上側の第１ガイドローラ１３の下側部位、下側の第２ガイドローラ１４の上側部位と高さ方向にオーバラップしている。こうすることで、第１ガイドプレート１５、第２ガイドプレート１６のガイド面１５０、１６０の上端と第１ガイドローラ１３のガイド周面１３０の高さがほぼ一致し、第１ガイドプレート１５、第２ガイドプレート１６のガイド面１５０、１６０の下端と第２ガイドローラ１４のガイド周面１４０の高さがほぼ一致するようになっている。
【００２７】
第１ガイドプレート１５、第２ガイドプレート１６は縦長方形状の樹脂プレートであり、好ましくは、滑り性の良い樹脂から形成され、例えば、高分子量ポリエチレン製の樹脂プレートが用いられる。図示の態様では、第１ガイドプレート１５と第２ガイドプレート１６は、同寸・同形であるが、互いに異なる寸法・形状であってもよい。
【００２８】
図６に示すように、第１取付台１７は、左右の垂直状の側板１７０、１７１と、側板１７０、１７１の基端側を接続する垂直状の底板１７２と、から平面視コ字形状を備えており、側板１７０、１７１の先端側には、上下に離間して第１ガイドローラ１３、第２ガイドローラ１４の長さ方向両端部をそれぞれ軸支するための孔１７３、１７４が形成されている。上下の孔１７３、１７４の位置は、垂直面に対してズレており、下側の孔１７４に対して上側の孔１７３が僅かに基端側に位置している。左右の側板１７０、１７１間に第１ガイドローラ１３、第２ガイドローラ１４が回転自在に支持されており、第１ガイドローラ１３のガイド周面１３０と第２ガイドローラ１４のガイド周面１４０を接線方向（側面視）に結ぶ接平面Ｐは、下端から上端に向かって取付台１７の基端側に向かう傾斜面となる。左右の側板１７０、１７１の先端縁は僅かに傾斜しており、先端縁の高さ方向の中途部位には、位置決め用突起１７５が形成されている。底辺１７２の上端には、側板１７０、１７１とは反対側に延びる水平辺１７６が形成されている。
【００２９】
図７に示すように、第２取付台１８は、左右の縦長部１８０、１８１と、左右の縦長部１８０、１８１を接続する中央部１８２と、からなる平面視Ｈ形状の板状体である。左右の縦長部１８０、１８１と中央部１８２の接続部位に位置して、それぞれ、縦長の開口１８３、切り起こし片１８４が形成されている。左右の縦長部１８０、１８１の表面側には、第１ガイドプレート１５、第２ガイドプレート１６がそれぞれ螺子で固定される。
【００３０】
第２取付台１８は、左右の縦長部１８０、１８１の中央部１８２寄りの部位の裏面側を、第１取付台１７の左右の側板１７０、１７１の先端縁に当接させると共に、左右の切り起こし片１８４を左右の側板１７０、１７１の面部に接触させ、切り起こし片と側板１７０、１７１とを溶接することで一体化される。この時、左右の側板１７０、１７１の先端縁に形成された位置決め用突起１７５が第１取付台１７に対する第２取付台１８の高さ方向の取付位置を決定する。
【００３１】
図４に示すように、第２取付台１８を第１取付台１７に固定した状態において、中央部１８２の上側で左右の縦長部１８０、１８１間に形成された空間には上側の第１ガイドローラ１３が位置しており、中央部１８２の下側で左右の縦長部１８０、１８１間に形成された空間には下側の第２ガイドローラ１４が位置している。
【００３２】
本実施形態において、スラットガイド機構Ｇの取付台は、第１取付台１７と、第１取付台１７に溶接された第２取付台１８とからなり、スラットガイド機構Ｇは、第１取付台１７を介して、内まぐさ１０に対して固定（例えば、溶接）されている。より具体的には、図３に示すように、第１取付台１７の側板１７０（図３では図示せず）、１７１の下端が内まぐさ１０の水平辺１０１に当接しており、第１取付台１７の垂直状の底板１７２（図３では図示せず）、水平辺１７６が、それぞれ、内まぐさ１０の角パイプの前面、上面に当接している。第１取付台１７と内まぐさ１０の当接部の少なくとも部分を溶接することで、第１取付台１７は内まぐさ１０に固定される。
【００３３】
本実施形態では、第１ガイドローラ１３の径、第２ガイドローラ１４の径は、スラット４０の高さ方向に対して十分に小さい寸法となっているが、第１ガイドローラ１３、第２ガイドローラ１４に隣接して、側面視において、第１ガイドローラ１３のガイド周面１３０と第２ガイドローラのガイド周面１４０とを架け渡すように、第１ガイドプレート１５、第２ガイドプレート１６が配置されているので、シャッター開閉時に、スラット４０が第１ガイドローラ１３と第２ガイドローラ１４の間の空間に落ち込むようなことがなく、第１ガイドローラ１３のガイド周面１３０、第２ガイドローラ１４のガイド周面１４０、第１ガイドプレート１５のガイド面１５０、第２ガイドプレート１６のガイド面１６０が協働して、スラット４０をスムーズに案内することができ、また、スラット４０がガイドローラ間に落ち込んだ場合等に生じるであろう開閉音を低減できる。
【００３４】
本実施形態では、第１ガイドローラ１３のガイド周面１３０と第２ガイドローラ１４のガイド周面１４０は共通の接平面Ｐを有しており、第１ガイドプレート１５、第２ガイドプレート１６のガイド面１５０、１６０は、接平面Ｐ内に位置しているので、第１ガイドローラ１３、第２ガイドローラ１４と、第１ガイドプレート１５、第２ガイドプレート１６が開口幅方向にズレて配置されているものでありながら、シャッター開閉時に、スラット４０は、共通の接平面Ｐでスラットガイド機構Ｇに接触するので、スラット４０は接平面Ｐに沿って案内され、段差等が生じることがなく、第１ガイドローラ１３のガイド周面１３０、第２ガイドローラのガイド周面１４０、第１ガイドプレート１５のガイド面１５０、第２ガイドプレート１６のガイド面１６０が協働して、スラット４０をスムーズに案内することができ、また、段差がある場合等に生じるであろう開閉音を低減できる。
【００３５】
本発明に係るスラットガイド機構Ｇは、図示の実施形態に限定されるものではない。例えば、第１ガイドプレート１５、第２ガイドプレート１６間に位置して、第２取付台１８の中央部１８２の前面に第３のガイドプレートを設けてもよい。この場合、第３のガイドプレートのガイド面は、接平面Ｐ内に位置する。また、２枚のガイドプレート、すなわち、第１のガイドプレート１５、第２のガイドプレート１６について説明したが、スラットガイド機構Ｇは１枚のガイドプレート（例えば、第１のガイドプレート１５、第２のガイドプレート１６のいずれか一方）を備えたものでもよい。あるいは、１枚のガイドプレートの両側に位置して、左右２個の上側ガイドローラ、左右２個の下側ガイドローラを設けてもよい。この場合、ガイドプレートのガイド面、上下左右４個のガイドローラのガイド周面は同じ接平面内に位置している。
【符号の説明】
【００３６】
１３  第１ガイドローラ
１３０  ガイド周面
１４  第２ガイドローラ
１４０  ガイド周面
１５  第１ガイドプレート
１５０  ガイド面
１６  第２ガイドプレート
１６０  ガイド面
Ｇ  スラットガイド機構
Ｐ  接平面
【図１】
0006340312.tif 000002
【図２】
0006340312.tif 000003
【図３】
0006340312.tif 000004
【図４】
0006340312.tif 000005
【図５】
0006340312.tif 000006
【図６】
0006340312.tif 000007
【図７】
0006340312.tif 000008